(57)【要約】  本発明は、ハウジング（２）を備え、当該ハウジング（２）上で駆動体（３）が案内され、駆動体（３）が、ばね力に抗して引き込み位置から停止位置へと移動できるとともに、閉じることができる家具部品に対してそれをその閉位置に保持するために結合される、引き込み装置に関する。本発明によれば、接続部（９，９’，９０）により互いに結合される少なくとも２つのばね（６，７，１６）によって引き込み位置で駆動体（３）に対して予張力が掛けられる、個々のばね（６，７，１６）の使用により、コンパクトな構造のために重要なばね経路を得ることができる。【選択図】  図１
2009509707.tif 000002
【特許請求の範囲】
【請求項１】
ハウジング（２）を有する、特に引き出し用の引き込み装置であって、
駆動体（３）が前記ハウジング（２）上で案内され、前記駆動体（３）がばね力に抗して引き込み位置から停止位置に移動でき、前記駆動体（３）が、閉じられるべき家具部品を閉位置に保持するために前記家具部品に対して結合されることが可能となっている、前記引き込み装置において、
前記引き込み位置で、接続部（９，９’，９０）を介して互いに結合される少なくとも２つのばね（６，７，１６）によって前記駆動体（３）に対して予張力が掛けられることを特徴とする、引き込み装置。
【請求項２】
少なくとも１つのばねが引張ばね（７，１６）として設けられ、少なくとも１つのばねが圧縮ばね（６）として設けられていることを特徴とする、請求項１に記載の引き込み装置。
【請求項３】
前記少なくとも２つのばね（６，７，１６）が、これらのばね一方の内側に他方が挿入された状態で配置されていることを特徴とする、請求項１または２に記載の引き込み装置。
【請求項４】
前記圧縮ばね（６）が前記引張ばね（７）の周囲に配置され、これらのばねが一端で接続部（９，９’，９０）を介して互いに結合されることを特徴とする、請求項１〜３のいずれか一項に記載の引き込み装置。
【請求項５】
前記ばね（６，７，１６）が互いに同軸に配置されることを特徴とする、請求項１〜４のいずれか一項に記載の引き込み装置。
【請求項６】
前記ばね（６，７，１６）がコイルばねとして設けられ、隣り合うばねがそれぞれ逆巻きの巻線を有していることを特徴とする、請求項１〜５のいずれか一項に記載の引き込み装置。
【請求項７】
２つのばねが設けられ、前記２つのばねの一方が引張ばね（７）として設けられ、前記２つのばねの他方が圧縮ばね（６）として設けられることを特徴とする、請求項１〜６のいずれか一項に記載の引き込み装置。
【請求項８】
前記引張ばね（７，１６）が前記駆動体（３）に固定され、前記圧縮ばね（６）が前記駆動体（３）と対向する側で前記ハウジング（２）上にて支持されることを特徴とする、請求項１〜７のいずれか一項に記載の引き込み装置。
【請求項９】
前記引張ばね（７）および前記圧縮ばね（６）のばね定数がほぼ等しく、それにより、前記駆動体（３）の移動時における前記引張ばね（７）および前記圧縮ばね（６）の偏位量がほぼ同じ大きさであることを特徴とする、請求項８に記載の引き込み装置。
【請求項１０】
少なくとも１つのクラウンばね（１６）が設けられ、該クラウンばねの巻線半径が増大しおよび／または減少することを特徴とする、請求項１〜９のいずれか一項に記載の引き込み装置。
【請求項１１】
互いに前後に接続される複数のクラウンばね（１６）が設けられることを特徴とする、請求項１０に記載の引き込み装置。
【請求項１２】
２つのばね（６，７）が１つのワイヤから一体に巻かれ、牽引が掛けられる領域と圧力が荷重される領域との間の中間領域が前記接続部を形成することを特徴とする、請求項１〜１１のいずれか一項に記載の引き込み装置。
【請求項１３】
前記圧縮ばね（６）が様々な位置で下方に垂れ下がることを避けるためにガイド要素（２２，６０）が設けられることを特徴とする、請求項１〜１２のいずれか一項に記載の引き込み装置。
【請求項１４】
前記圧縮ばね（６）のためのガイドスリーブ（２２）が前記ハウジング（２）と一体に設けられていることを特徴とする、請求項１３に記載の引き込み装置。
【発明の詳細な説明】
【技術分野】
【０００１】
本発明は、ハウジングを有し、当該ハウジング上で駆動体が案内され、駆動体がばね力に抗して引き込み位置から停止位置へと移動でき、家具部品を閉位置に保持するために駆動体を閉じられるべき家具部品に対して結合させることができる、特に引き出し用の引き込み装置に関する。
【背景技術】
【０００２】
引き出し用の閉塞装置は、ばねの力により引き出しを閉位置に維持し或いはこの位置へと引き出しを移動させるために自動引き込み器が設けられる欧州特許文献ＥＰ３９１２２１から知られている。この目的のため、直線的に移動できる駆動体がガイド内に設けられ、この駆動体は、予張力が掛けられたばねによって最終位置へ引き出される一方で、ガイド経路の傾斜部内にピンを傾けて係合させることにより反対側の停止位置で保持される。ばねは、移動可能な駆動体に一端が固定されるとともに、ハウジングまたは家具本体に他端が固定される。この自動引き込み器は、移動可能な家具部品を完全に閉じるために最小限の力だけで済むが、家具部品の開放時にばねに更に張力が掛けられ、それにより、復元力が増大するという欠点を有している。復元力は引き出し力としてユーザによって加えられなければならないため、それが不快に感じられ、したがって、それを最小限に抑えなければならない。特に、ばねによって引き起こされる経路依存の力の増大は不必要である。
【０００３】
引き出しの引き出しガイドのための自動引き込み器が独国特許文献ＤＥ２０ ２００４００５ ３２２から知られており、この引き込み器では、偏位装置の周囲で案内される更に長いばねが使用され、それにより、長いばねの結果として、復元力が幾分小さくなる。しかしながら、この構造は、偏位に起因して更なる摩擦力がばねに作用し、自動引き込み器の構造の長手方向に対して垂直な方向で更なる設置スペースが必要とされるという欠点を有している。また、自動引き込み器は製造するのが比較的複雑である。
【発明の開示】
【発明が解決しようとする課題】
【０００４】
したがって、本発明の目的は、僅かな経路依存の付加的な復元力のみを有し且つコンパクトに構成される引き込み装置を提供することである。
【課題を解決するための手段】
【０００５】
この目的は、請求項１の特徴を有する引き込み装置によって達成される。
【０００６】
本発明によれば、駆動体は、引き込み位置で、接続部を介して互いに結合される少なくとも２つのばねによって予張力が掛けられる。別個のばねの使用により、大きなばね経路を設けることができ、個々のばねをコンパクトな構成で位置させることができる。特に、複数のばねのカスケード構造が可能である。これにより、偏位の必要性が省かれ、復元力を最小限に抑えることができる。
【０００７】
本発明の好ましい実施形態によれば、少なくとも１つのばねが引張ばねとして設けられ、少なくとも１つのばねが圧縮ばねとして設けられる。したがって、駆動体に作用する結果的な力を引張ばねおよび圧縮ばねによって与えることができ、それにより、少ないスペース要件で特にコンパクトな構造が確保される。これは、圧縮プリングおよび引張ばねが互いに内外に位置する入れ子状を成すことができるからである。そのため、ばねが互いに同軸に配置される。コイルばねが使用される場合には、ばね同士の引っ掛かりを避けるために、隣り合うばねがそれぞれ反対方向に巻かれてもよい。
【０００８】
圧縮ばねが引張ばねの周囲に配置されれば特に有益である。この場合、引張ばねは、圧縮ばねによって案内されてもよく、また、圧縮ばねを越えて、駆動体が内部で案内されるハウジング内へと突出してもよい。このとき、接続部は、それが移動できるように圧縮ばねおよび引張ばねによって保持され、それにより、駆動体の移動中、接続部も移動される。ばねは、特にコンパクトな構造のため、互いに同軸に配置される。
【０００９】
引き込み装置が少ない数の構成要素から構成されるべき場合には、２つのばねだけ、すなわち、圧縮ばねおよび引張ばねだけが設けられるのが有益である。引張ばねは駆動体に固定されてもよく、また、圧縮ばねは、駆動体と対向する側でハウジング上に支持されてもよい。締結のために、既知のクランプ・クラッチ機構が使用されてもよい。
【００１０】
また、本発明の更なる実施形態では、その巻線半径が増大しおよび／または減少する少なくとも１つの螺旋ばねを設けることができる。したがって、小さな設置スペースで比較的大きなばね経路を得ることができる。複数の螺旋ばねが互いに前後に接続されてもよい。
【００１１】
引き込み装置の特に簡単な実施形態においては、２つのばねが１つのワイヤから一体に巻かれ、牽引（引張り）が掛けられる領域と圧力が荷重される領域との間の中間領域が接続部を形成し、それにより、引き込み装置の装着が数ステップまで簡略化される。
【００１２】
以下、添付図面に関連する複数の典型的な実施形態に基づき、本発明を更に詳しく説明する。
【発明を実施するための最良の形態】
【００１３】
図１の下側領域に示される引き込み装置１は、家具本体または引き出しガイドの固定ガイドレールに装着できるハウジング２を備えている。ハウジング２には、傾斜端部分２１を有する湾曲ガイド２０が形成されている。湾曲ガイド２０内では、湾曲ガイド２０に係合する２つのピン４を有する駆動体３が案内される。駆動体３上にはアクチベータのための受け部５が設けられており、アクチベータは、湾曲ガイド２０の領域で駆動体３を可動家具部品に対して結合するために受け部５に係合してもよい。
【００１４】
駆動体３は、圧縮ばね６および引張ばね７によって左側位置に予め張力が掛けられている。圧縮ばね６は、一方側がハウジング２上に支持されるとともに、反対側が接続部９に対して結合されており、接続部９は引張ばね７に対して接続される。引張ばね７は、接続部９と反対側で、接続部８により駆動体３に対して接続される。
【００１５】
図１の上側の２つの引き込み装置は従来技術にしたがって実施され、この場合、駆動体３はハウジング２の湾曲ガイド２０に沿って案内され、また、これらの構成要素は周知の方法で設けられてもよい。従来技術では、１つの圧縮ばね１０だけが設けられ、この圧縮ばねは、一体に設けられた接続部分１１を介して駆動体３から離れて面する側で固定されるとともに、駆動体３に対して結合される一体接続部分１２を反対側に有している。
【００１６】
従来技術によれば、ばね１０は、弛緩状態で長さＬ０を有しており、その後、長さＬ１まで予張力を掛けられ、それにより、駆動体３に結合される家具部品に対して閉位置で予張力が掛けられる。ばね１０の力は、駆動体３が経路Ｈをカバーした長さＬ２を有する位置へとばねが移動されるときに、ばね定数Ｒに応じて増大する。したがって、ばね力Ｆ２が作用する。
【００１７】
本発明に係る引き込み装置では、引張ばね７を取り囲む圧縮ばね６が外側に設けられている。駆動体３が端部位置から湾曲端部２１へ向かって左から右へと移動される場合には、圧縮ばね６が圧縮される一方で、引張ばね７が伸張される。接続部９は量ｈだけ右へ移動する。
【００１８】
図示のばね長Ｌ１＊は、２つの機械的に結合されたばね６，７に相当する（仮想的な）単一の引張ばねの長さであり、これは理想的なケース（等しいばね定数）では約２倍長く、したがって、設置長さが増大する。偏位Ｈがなされる場合、長さＬ１＊の等価なばねは、Ｈだけ伸張され、したがって、長さＬ２＊を有し、その２倍にされた長さに起因して復元力（＝更に平らな特性曲線）が半分増大する。つまり、Ｌ２＊はＬ１＊プラスＨ（Ｌ２＊＝Ｌ１＊＋Ｈ）である。
【００１９】
本発明によれば、ばね定数がほぼ等しく且つ全体の偏位がＨである場合、２つの結合されたばね６，７がＨ／２だけ伸張し、その分、結果として、力も半分増大する。２つの部分偏位Ｈ／２は、Ｈを形成するための自由端の結合によってほぼ加えられる。ここで、等価な仮想的引張ばねの長さは、
Ｌ２＊＝Ｌ２（牽引）＋Ｌ２（圧縮）＋Ｈ
である。
【００２０】
引張ばねは延ばされるが、圧縮ばねは縮められる−逆作用方向に起因して、２つの偏位が合算する。引張ばね７の伸張および圧縮ばね６の圧縮の合計が偏位Ｈをもたらす。最適な設計のため、伸張および圧縮は、それらがほぼ等しくなるように設定される。さもなければ、２つのばねのうちの一方が更に大きく偏位され、それにより、力の増大が大きくなる。
【００２１】
本発明に係る引き込み装置において、予張力Ｆ１＊＝Ｆ１は、２つのばね６，７が弛緩状態で異なる長さを有し、それから、圧縮ばね６が圧縮されて、引張ばね７が伸張されるという点で達成される。ばねが設置される場合、これらのばねは、互いに反対に引張られて、必要とされる予張力Ｆ１＊を確保する。
【００２２】
結果として得られる復元力Ｆ２＊は従来技術における力Ｆ２よりも小さく、したがって、全体のばね定数Ｒ＊はそれに応じて小さくなる。
【００２３】
ばね６，７は、力比率および経路比率がばね定数の比率で変化するように、異なるばね定数を有して設けられてもよい。しかしながら、ばねを同一に設計することが最適である。これは、偏位（＝伸張）が均等に分配され、それにより、力増大が最小限に抑えられるからである。
【００２４】
本発明に係る引き込み装置が図２のＡ〜Ｃに示されている。圧縮ばね６が引張ばね７を同軸に取り囲んでおり、接続部９０が設けられ、接続部９０上に圧縮ばね６が支持されている。ここでは、接続部９０は、外側で圧縮ばね６の巻線を支持する接触面１５を形成する。接続部９０は、内側で引張ばね７の結合部品９に対して接続される。
【００２５】
ばねの座屈を避けるために、圧縮ばね６と引張ばね７との間に円筒状のガイドチューブ６０が配置され、それにより、結果として得られる力が駆動体３の移動方向に作用するようになっていてもよい。ガイドチューブ６０は、駆動体３が引き込み位置にあるとき（図２のＢ）に、図２のＢに示されるようにハウジング２の受け部内へ移動されてもよい。必要に応じて、ハウジング２は、接続部９０の最大移動を制限するために、ガイドチューブ６０のためのストッパを形成してもよい。
【００２６】
図１および図２において、圧縮ばね６および引張ばね７はコイルばねとして設けられる。螺旋ばね、板ばね、クラウンばね、リーフばねなどの他のばねタイプを使用することもできる。
【００２７】
変形された引き込み装置が図３Ａに示されている。この装置では、圧縮ばねが引張ばね７の周囲に配置されており、接続部９が一方側でばね同士を接続している。圧縮ばね６はもはや内部ガイドチューブを使用して案内されず、圧縮ばね６の下方または側方への弛みを防止するハウジング２のガイド面２２を介して案内がなされる。ガイド面２２は、圧縮ばね６を全ての方向で支持し且つ側方移動を避けるためにスリーブ形状として設けられてもよい。
【００２８】
また、駆動体３には、ロッド３１を介して駆動体３に接続されるダンパ３０が設けられる。したがって、駆動体３がぎくしゃくした動きをする場合には、制振をなすことができる。
【００２９】
図３Ｂでは、引き込み装置が駆動体３の引き込み位置で示されている。この場合、圧縮ばね６が圧縮されるとともに、引張ばね７に張力が掛けられる。
【００３０】
シートメタルから製造される平坦なクラウンばね１６として設けられてもよい螺旋ばねが図４のＡおよびＢに示されている。クラウンばね１６は、一方側１７が固定されるとともに、螺旋として設けられ、それにより、中心端部分１８が、クラウンばね１６の反対側の端部を形成するとともに、平坦なクラウンばね１６の面に対して垂直な方向に移動できる。
【００３１】
図５に示されるように、複数のそのようなクラウンばね１６が接続部１９によって互いに対して接続されてもよく、それにより、クラウンばね１６によって比較的大きいばね経路が設けられてもよい。複数のクラウンばね１６を外側および内側で交互に結合することにより、クラウンばね１６の前述した組み合わせと同様の特性を有するばねアセンブリが構成されてもよい。
【００３２】
図５では、クラウンばね１６から形成されるばねアセンブリが圧縮ばね６内に組み込まれている。したがって、利用できる設置スペースが最適に使用される。
【００３３】
また、引き込み装置では、ばね特性を最適に利用するために、３つ以上のばね同士を接続することも基本的に可能である。構造を簡単にするため、ばねが、圧力が荷重される領域と牽引が掛けられる領域とを有し、それにより、２つの領域間の中間部が接続部として設けられるようにすることもできる。したがって、最小の数の部品だけを設ければ済むため、装着が特に簡単に行なわれる。
【００３４】
ばね６，７がハウジング２から突出してもよく、それにより、ハウジング２が非常にコンパクトに設けられてもよい。これは、ばねに張力を掛けるためにハウジングが必要とされないからである。湾曲を回避するために、ストリップやチューブなどのガイド手段によってばね６，７が保持されてもよい。
【００３５】
図示の典型的な実施形態において、駆動体は、いずれの場合にも、引張ばねで固定される。図６に示されるように、駆動体３は、長手方向で案内される圧縮ばね６に作用してもよく、圧縮ばね６は接続部品９０を介して引張ばね７に結合される。このように形成されるばねアセンブリは、傾斜端部分を有する湾曲ガイド２０の側に配置され、圧縮ばね７は、接続部９０の反対側でハウジング２に固定される。
【００３６】
また、いずれの場合にも、互いに同軸に配置される２つのばねだけが示されている。４つ、６つ、あるいは、それ以上のばねが互いに内外に位置する入れ子状を成していてもよく、また、無論、復元力の増大を減らすために同軸に配置されてもよい。更に、ばねは、互いに隣り合って配置されてもよく、また、いずれの場合にも、適切な接続手段を介して一方側で互いに結合されてもよい。
【図面の簡単な説明】
【００３７】
【図１】従来技術に係る引き込み装置と比べた本発明に係る引き込み装置の概略図を示している。
【図２】Ａ〜Ｃは本発明に係る引き込み装置の図を示している。
【図３Ａ】変形された引き込み装置の斜視図と部分図を示している。
【図３Ａ】変形された引き込み装置の異なる位置における斜視図と部分図を示している。
【図４】ＡおよびＢは、本発明に係る引き込み装置における螺旋ばねの２つの図を示している。
【図５】螺旋ばねを有する引き込み装置の概略図を示している。
【図６】引き込み装置の変形実施形態の図を示している。
【図１】
2009509707.tif 000003
【図２】
2009509707.tif 000004
【図３Ａ】
2009509707.tif 000005
【図３Ｂ】
2009509707.tif 000006
【図４】
2009509707.tif 000007
【図５】
2009509707.tif 000008
【図６】
2009509707.tif 000009
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ハウジング（２）を有する、特に引き出し用の引き込み装置であって、
駆動体（３）が前記ハウジング（２）上で案内され、前記駆動体（３）がばね力に抗して引き込み位置から停止位置に移動でき、前記駆動体（３）が、閉じられるべき家具部品を閉位置に保持するために前記家具部品に対して結合されることが可能となっており、前記引き込み位置で、接続部（９，９’，９０）を介して互いに結合される少なくとも２つのばね（６，７，１６）によって前記駆動体（３）に対して予張力が掛けられる、前記引き込み装置において、
前記少なくとも２つのばね（６，７，１６）が、これらのばね一方の内側に他方が挿入された状態で配置されていることを特徴とする、引き込み装置。
【請求項２】
少なくとも１つのばねが引張ばね（７，１６）として設けられ、少なくとも１つのばねが圧縮ばね（６）として設けられていることを特徴とする、請求項１に記載の引き込み装置。
【請求項３】
前記圧縮ばね（６）が前記引張ばね（７）の周囲に配置され、これらのばねが一端で接続部（９，９’，９０）を介して互いに結合されることを特徴とする、請求項１または２に記載の引き込み装置。
【請求項４】
前記ばね（６，７，１６）が互いに同軸に配置されることを特徴とする、請求項１〜３のいずれか一項に記載の引き込み装置。
【請求項５】
前記ばね（６，７，１６）がコイルばねとして設けられ、隣り合うばねがそれぞれ逆巻きの巻線を有していることを特徴とする、請求項１〜４のいずれか一項に記載の引き込み装置。
【請求項６】
２つのばねが設けられ、前記２つのばねの一方が引張ばね（７）として設けられ、前記２つのばねの他方が圧縮ばね（６）として設けられることを特徴とする、請求項１〜５のいずれか一項に記載の引き込み装置。
【請求項７】
前記引張ばね（７，１６）が前記駆動体（３）に固定され、前記圧縮ばね（６）が前記駆動体（３）と対向する側で前記ハウジング（２）上にて支持されることを特徴とする、請求項１〜６のいずれか一項に記載の引き込み装置。
【請求項８】
前記引張ばね（７）および前記圧縮ばね（６）のばね定数がほぼ等しく、それにより、前記駆動体（３）の移動時における前記引張ばね（７）および前記圧縮ばね（６）の偏位がほぼ同じ大きさであることを特徴とする、請求項７に記載の引き込み装置。
【請求項９】
少なくとも１つのクラウンばね（１６）が設けられ、該クラウンばねの巻線半径が増大しおよび／または減少することを特徴とする、請求項１〜８のいずれか一項に記載の引き込み装置。
【請求項１０】
互いに前後に接続される複数のクラウンばね（１６）が設けられることを特徴とする、請求項９に記載の引き込み装置。
【請求項１１】
２つのばね（６，７）が１つのワイヤから一体に巻かれ、牽引が掛けられる領域と圧力が荷重される領域との間の中間領域が前記接続部を形成することを特徴とする、請求項１〜１０のいずれか一項に記載の引き込み装置。
【請求項１２】
前記圧縮ばね（６）が様々な位置で下方に垂れ下がることを避けるためにガイド要素（２２，６０）が設けられることを特徴とする、請求項１〜１１のいずれか一項に記載の引き込み装置。
【請求項１３】
前記圧縮ばね（６）のためのガイドスリーブ（２２）が前記ハウジング（２）と一体に設けられていることを特徴とする、請求項１２に記載の引き込み装置。
【国際調査報告】
2009509707.tif 000010
2009509707.tif 000011
2009509707.tif 000012
2009509707.tif 000013